(57)【要約】【課題】表示部を取外すことなく、薄型表示装置の前側で光源部（回路基板）のメンテナンスを行うことができ、また、表示部の前方への離隔距離を全体的に均等化でき、メンテナンスの作業効率を向上することができる薄型表示装置を提供する。【解決手段】前側に表示面を有する表示部１の周縁部の複数の箇所と、表示部１へ光を照射する光源部２とを、前後への平行運動をなす連結体５１，５２により連結し、表示部１の前方への移動により、ランプの交換を伴うメンテナンスを容易に行うことができるようにした。【選択図】図１
2009150939.tif 000002
【特許請求の範囲】
【請求項１】
前側に表示面を有する表示部の後側に、該表示部へ光を照射する光源部を配してある薄型表示装置において、前記表示部の周縁部分の複数の箇所と前記光源部とを、前記表示部の前後への移動を可能に連結してある連結体を備えることを特徴とする薄型表示装置。
【請求項２】
前記光源部の後側に、該光源部と前後への相対移動を可能に回路基板を配してあり、該回路基板の相対移動を可能に回路基板と前記光源部とを連結してある複数の第２の連結体を備える請求項１記載の薄型表示装置。
【請求項３】
前側に表示面を有する表示部の後側に回路基板を配してある薄型表示装置において、前記表示部の周縁部の複数の箇所と前記回路基板とを、前記表示部の前後への移動を可能に連結してある第３の連結体を備えることを特徴とする薄型表示装置。
【請求項４】
前記連結体及び第３の連結体は、前記表示部を光源部又は回路基板に対して平行状態を維持しながら平行運動させるリンクである請求項１又は３記載の薄型表示装置。
【請求項５】
前記第２の連結体は、前記回路基板と光源部とを平行状態を維持しながら相対的に平行運動させるリンクである請求項２記載の薄型表示装置。
【請求項６】
前記表示部を非移動の位置にロック／解除する操作部を有する請求項１から５のいずれか一つに記載の薄型表示装置。
【請求項７】
前記表示部の移動に抵抗力を加える抵抗手段を有する請求項１から６のいずれか一つに記載の薄型表示装置。
【請求項８】
前記抵抗手段は流体圧シリンダである請求項７記載の薄型表示装置。
【請求項９】
前記表示部及び光源部の少なくとも一方は、前記表示部及び光源部の間を遮光する遮光部材を有する請求項１又は２記載の薄型表示装置。
【請求項１０】
前側に表示面を有する表示部の後側に、該表示部へ光を照射する光源部及び回路基板を配してある薄型表示装置本体と、該薄型表示装置本体の後側を被覆するカバー体とを備える薄型表示装置において、前記薄型表示装置本体の周縁部分の複数の箇所と前記カバー体とを、前記薄型表示装置本体の前後への移動を可能に連結してある第４の連結体を備えることを特徴とする薄型表示装置。
【請求項１１】
前記第４の連結体は、前記薄型表示装置本体をカバー体に対して平行状態を維持しながら平行運動させるリンクである請求項１０記載の薄型表示装置。
【発明の詳細な説明】
【技術分野】
【０００１】
本発明は液晶テレビジョン、プラズマテレビジョン等の薄型表示装置に関する。
【背景技術】
【０００２】
テレビジョン等の薄型表示装置は、前側に表示パネルを有し、前面視略直方体をなす表示部と、該表示部の後側に配され、表示部を支持する支持体と、電源基板等の複数の基板及び該基板を収容保持するケース体を有する回路基板とを備え、前記支持体がケース体に雄螺子で取付けられ、前記表示部が支持体に雄螺子で取付けられており、また、表示部、支持体を順次取外すことにより、回路基板を前方へ開放することができるように構成されている（例えば、特許文献１参照）。
【０００３】
以上のように構成された薄型表示装置の回路基板をメンテナンスする場合、表示部、支持体を順次取外すことにより、回路基板を前方へ開放することができるため、基板が収容保持されているケース体を取外すことなく回路基板をメンテナンスすることができる。
【０００４】
また、上下に複数の表示パネルが並置されている表示装置本体の下部にキャスター、上部にランナーを夫々設け、該ランナーが係合するハンガーレールを表示装置本体の上側に設置し、該ハンガーレールに沿って表示装置本体を横移動させた後、表示装置方向を後方へ移動させることにより、表示装置の後側でメンテナンス作業を行うことができるように構成された表示装置も知られている（例えば、特許文献２参照）。
【特許文献１】特開平１０−１４３０９２号公報
【特許文献２】特開２００４−２９４７４４号公報
【発明の開示】
【発明が解決しようとする課題】
【０００５】
ところが、近年の薄型表示装置は益々大型化の一途をたどっており、質量が重くなっているため、特許文献１に記載されている薄型表示装置がメンテナンスされる場合、前記表示部、支持体の取外し／取付け作業が行い難いという問題があり、また、薄型表示装置が配置されている場所でメンテナンスされることになるため、取外しされた比較的大型の表示部及び支持体を仮置きするための比較的広いスペースを確保することができないことがある。
【０００６】
また、特許文献２に記載されている表示装置にあっては、表示装置の前側でメンテナンス作業を行うことができないし、また、表示装置本体の後側に、該表示装置本体を横移動させるためのスペース、及び横移動した位置からさらに後方へ移動させるためのスペースが必要であり、表示装置の配置場所が極端に制限されるという問題がある。
【０００７】
そこで、本発明の出願人は表示部の一側を、前後方向への回動を可能に枢支することにより、表示部を仮置きするためのスペースを確保することなく、表示部の前側でメンテナンス作業を行うことができるように構成した薄型表示装置を先に開発した。
【０００８】
しかし、先に開発された表示装置は表示部の一側が枢支されているため、表示部の前方への離隔距離に長短ができ、枢支部と反対側では離隔距離が比較的長いのに対し、枢支部側では離隔距離が比較的短くなり、この離隔距離が短い側でのメンテナンス作業性に難点があった。
【０００９】
本発明は斯かる事情に鑑みてなされたものであり、主たる目的は前側に表示面を有する表示部の周縁部の複数の箇所と、表示部の後側に配されている光源部（回路基板）とを、表示部の前後への移動を可能に連結してある連結体（第２の連結体）を備える構成とすることにより、表示部を取外すことなく、薄型表示装置の前側で光源部（回路基板）のメンテナンス作業を行うことができ、また、表示部の前方への離隔距離を全体的に均等化でき、メンテナンスの作業効率を向上することができる薄型表示装置を提供することにある。
【課題を解決するための手段】
【００１０】
本発明に係る薄型表示装置は、前側に表示面を有する表示部の後側に、該表示部へ光を照射する光源部を配してある薄型表示装置において、前記表示部の周縁部分の複数の箇所と前記光源部とを、前記表示部の前後への移動を可能に連結してある連結体を備えることを特徴とする。
【００１１】
この発明にあっては、表示部を取外すことなく、該表示部の全体を前方へ離隔移動させることができ、前方への離隔距離を全体的に均等化できる。従って、表示部を仮置きするためのスペースを確保することなく、薄型表示装置の前側で光源部等のメンテナンス作業を効率的に行うことができる。
【００１２】
また、本発明に係る薄型表示装置は、前記光源部の後側に、該光源部と前後への相対移動を可能に回路基板を配してあり、該回路基板の相対移動を可能に回路基板と前記光源部とを連結してある複数の第２の連結体を備える構成とするのが好ましい。
この発明にあっては、表示部及び光源部を取外すことなく、該表示部の全体及び光源部の全体を前方へ離隔移動させることができ、前方への離隔距離を全体的に均等化できる。従って、表示部、光源部を仮置きするためのスペースを確保することなく、薄型表示装置の前側で回路基板等のメンテナンス作業を効率的に行うことができる。
【００１３】
また、本発明に係る薄型表示装置は、前側に表示面を有する表示部の後側に回路基板を配してある薄型表示装置において、前記表示部の周縁部の複数の箇所と前記回路基板とを、前記表示部の前後への移動を可能に連結してある第３の連結体を備えることを特徴とする。
【００１４】
この発明にあっては、表示部を取外すことなく、該表示部の全体を前方へ離隔移動させることができ、前方への離隔距離を全体的に均等化できる。従って、表示部を仮置きするためのスペースを確保することなく、薄型表示装置の前側で回路基板等のメンテナンス作業を効率的に行うことができる。
【００１５】
また、本発明に係る薄型表示装置は、前記連結体及び第３の連結体は、前記表示部を光源部又は回路基板に対して平行状態を維持しながら平行運動させるリンクであることが好ましい。
この発明にあっては、表示部を光源部又は回路基板に対して平行的に移動させることができるため、表示部及び光源部間の隙間量、表示部及び回路基板間の隙間量を低減でき、防塵手段を設けることなく塵埃の侵入を抑制することができる。
【００１６】
また、本発明に係る薄型表示装置は、前記第２の連結体は、前記回路基板と光源部とを平行状態を維持しながら相対的に平行運動させるリンクであることが好ましい。
この発明にあっては、光源部を回路基板に対して平行的に移動させることができるため、光源部及び回路基板間の隙間量を低減でき、防塵手段を設けることなく塵埃の侵入を抑制することができる。
【００１７】
また、本発明に係る薄型表示装置は、前記表示部を非移動の位置にロック／解除する操作部を有する構成とするのが好ましい。
この発明にあっては、操作部を操作しない限り表示部が前方へ移動することがないため、振動等により表示部が不測に移動するのを防止でき、また、操作部を操作することにより表示部のロックを解除でき、メンテナンス作業を行うことができる。
【００１８】
また、本発明に係る薄型表示装置は、前記表示部の移動に抵抗力を加える抵抗手段を有する構成とするのが好ましい。
この発明にあっては、表示部を緩慢に移動させることができるため、連結点に過負荷が加わるのを防ぐことができ、耐久性を高めることができる。また、一人の作業者であっても表示部を容易に移動させることができ、メンテナンスの作業性を高めることができる。
【００１９】
また、本発明に係る薄型表示装置は、前記抵抗手段は流体圧シリンダである構成とするのが好ましい。
この発明にあっては、流体圧シリンダにより表示部の前方への移動を規制することができ、表示部の前方への移動状態を維持することができるため、前方へ移動された表示部の安定性を高めることができる。
【００２０】
また、本発明に係る薄型表示装置は、前記表示部及び光源部の少なくとも一方は、前記表示部及び光源部の間を遮光する遮光部材を有する構成とするのが好ましい
この発明にあっては、メンテナンス作業が終わった後で表示部が後方へ移動された際、該表示部及び光源部の間の隙間を遮光部材により塞ぐことができ、光洩れを防ぐことができる。
【００２１】
また、本発明に係る薄型表示装置は、前側に表示面を有する表示部の後側に、該表示部へ光を照射する光源部及び回路基板を配してある薄型表示装置本体と、該薄型表示装置本体の後側を被覆するカバー体とを備える薄型表示装置において、前記薄型表示装置本体の周縁部分の複数の箇所と前記カバー体とを、前記薄型表示装置本体の前後への移動を可能に連結してある第４の連結体を備えることを特徴とする。
【００２２】
この発明にあっては、薄型表示装置本体を取外すことなく、該薄型表示装置本体の全体を前方へ離隔移動させることができ、前方への離隔距離を全体的に均等化できる。従って、薄型表示装置本体を仮置きするためのスペースを確保することなく、薄型表示装置の前側で回路基板等のメンテナンス作業を効率的に行うことができる。
【００２３】
また、本発明に係る薄型表示装置は、前記第４の連結体は、前記薄型表示装置本体をカバー体に対して平行状態を維持しながら平行運動させるリンクである構成とするのが好ましい。
この発明にあっては、薄型表示装置本体をカバー体に対して平行的に移動させることができるため、薄型表示装置本体及びカバー体間の隙間量を低減でき、防塵手段を設けることなく塵埃の侵入を抑制することができる。
【発明の効果】
【００２４】
本発明によれば、表示部を取外すことなく、該表示部の全体を前方へ離隔移動させることができ、前方への離隔距離を全体的に均等化できるため、表示部を仮置きするためのスペースを確保することなく、薄型表示装置の前側で回路基板、光源部等のメンテナンス作業を効率的に行うことができる。
【発明を実施するための最良の形態】
【００２５】
以下本発明をその実施の形態を示す図面に基づいて詳述する。
実施の形態１
図１は本発明に係る薄型表示装置の構成を示す模式的側面図、図２は模式的断面図、図３は薄型表示装置の表示部が前方へ移動している状態を示す模式的側面図である。
【００２６】
図示した薄型表示装置は、テレビ画像を表示する表示面を前側に有し、前面視矩形状をなす表示部１と、上下に離隔して並置された複数本の管状のランプ２１及びランプ２１を収容支持しているケース体２２を有し、表示部１の後側に配されている光源部２と、該光源部２の後側に配されている電源基板等の回路基板３と、表示部１及び光源部２を起立状態で支持してあるスタンド４と、表示部１の前後への移動を可能に該表示部１及び光源部２を連結してある上下二つの連結体５１，５２と、光源部が発光した光が表示部１の周縁部及び光源部２の周縁部間を遮光する遮光部材１０とを備える薄型の液晶テレビジョン、換言すると薄型液晶表示装置である。
【００２７】
表示部１は、表示面１１ａを有する表示パネル１１と、該表示パネル１１の周縁部を前後で保持する保持枠体と、内側の保持枠体の後側に配されている拡散板等の光学シート１２と、該光学シート１２の後側に配され、該光学シート１２を支持している支持枠体１３と、表示面１１ａに対応する個所が開放され、前記保持枠体及び支持枠体１３の周縁部を取り囲むキャビネット１４とを有する。
【００２８】
キャビネット１４は前面視矩形状をなし、両側部の上下へ離隔（周方向へ離隔）した二つの箇所に、横方向へ延出された第１及び第２の枢軸１５，１５ａが突設されており、枢軸１５，１５ａ夫々に連結体５１，５２の一端部が枢支されている。また、キャビネット１４の後端面にはゴム板等の弾性を有する環状の遮光部材１０が貼付けられている。また、キャビネット１４は支持枠体１３の周縁部に複数本の雄螺子により取外しを可能に取付けられており、前記保持枠体は支持枠体１３の周縁部に複数本の雄螺子により取外しを可能に取付けられている。
【００２９】
光源部２は、上下に離隔して並置される複数本のランプ２１と、前方へ開放されている略直方体をなし、ランプ２１を収容して支持するケース体２２と、該ケース体２２内にランプ２１の並置間隔で取付けられ、ランプ２１の両端部を保持する複数のコネクタと、ケース体２２の後面に取付けられている回路基板３と、ケース体２２の周縁部及び後側を被覆する深皿状のカバー体２３とを有する。
【００３０】
ランプ２１は両端に二つの凸端子を有する熱陰極管又は冷陰極管である。前記コネクタ夫々は電源に接続され、ランプ２１の凸端子に対応する凹端子を有する。
【００３１】
カバー体２３は前面視矩形状をなし、両側部の上下へ離隔（周方向へ離隔）した二つの箇所に、横方向へ延出された第３及び第４の枢軸２４，２４ａが突設されており、枢軸２４，２４ａ夫々に連結体５１，５２の他端部が枢支されている。
【００３２】
カバー体２３の両側部における枢軸２４，２４ａ間の中間部と第２の枢軸１５ａとの間には、表示部１の移動に抵抗力を加える抵抗手段としての流体圧シリンダ６が取付けられている。流体圧シリンダ６は、流体が封入されている円筒体６１と、該円筒体６１の両端部から進退移動を可能に延出されているピストンロッド６２，６３とを有する両ロッド型であり、一方のピストンロッド６２の端部が第２の枢軸１５ａに枢支され、他方のピストンロッド６３の端部がカバー体２３に枢支されており、ピストンロツド６２，６３夫々のピストンに開設されている小径の貫通孔を前記流体が流通することによりピストンロッド６２，６３が進退移動し、表示部１の前後への移動に抵抗力を加えるように構成されている。
【００３３】
また、カバー体２３の両側部における枢軸２４，２４ａ間の中間部には、フック部を有するレバー体７と、螺子孔２５とが上下に離隔して設けられており、前記フック部に対応する係止部１６及び螺子孔２５に対応する挿通孔を有するフランジ１７がキャビネット１４の両側部に設けられている。
【００３４】
レバー体７は前後方向への回動を可能に枢支されており、一方向への回動でフック部を係止部１６に係止し、この係止状態で他方向へ回動されることによりレバー体７の回動がロックされるように構成されている。
【００３５】
回路基板３は、外部機器との間で入出力される入出力信号用の複数の端子を有する端子基板、表示パネル１１に表示する映像を処理させる処理回路基板、該処理回路基板に電圧を供給する電源回路基板等の複数を有し、回路基板３夫々がケース体２２の後面に複数本の雄螺子により取外しを可能に取付けられている。
【００３６】
連結体５１，５２は表示部１を光源部２に対して平行状態を維持しながら前後へ平行運動させるリンクであり、両端部に嵌合孔５１ａ，５１ｂ、５２ａ，５２ｂが開設され、一端部の嵌合孔５１ａ，５２ａが第１及び第２の枢軸１５，１５ａに枢支され、他端部の嵌合孔５１ｂ，５２ｂが第３及び第４の枢軸２４，２４ａに枢支され、前後方向への回動を可能に構成されている。連結体５１，５２の嵌合孔５１ａ，５１ｂ間の距離と、嵌合孔５２ａ，５２ｂ間の距離とは等しい。また、嵌合孔５１ａ，５１ｂ間、及び嵌合孔５２ａ，５２ｂ間の距離は、表示部１が前方へ離隔移動した位置でランプ２１の交換を伴うメンテナンスを行うことができる距離になっている。
【００３７】
スタンド４はカバー体２３の後面に横方向へ離隔して取付けられる二つの支柱部４１と、支柱部４１の下端を連結しているベース部４２とを有し、表示部１が光源部２に対して前方へ移動した際でも表示部１及び光源部２の起立状態を維持することができるように構成されている。
【００３８】
以上のように構成された薄型表示装置は、図１に示すようにレバー体７のフック部が係止部１６に係止され、ロック用の雄螺子８がフランジ１７の挿通孔を経て螺子孔２５に螺着され、表示部１の前方への移動が阻止されている。この際、流体圧シリンダ６のピストンロッド６２，６３は後退している。
【００３９】
ランプ２１の交換を伴うメンテナンスの場合、雄螺子８を弛緩し、レバー体７を操作して係止部１６との係止を解除することにより、表示部１を前方へ移動させ得る体制となる。表示部１を光源部２に対して前方へ移動操作すると連結体５１，５２が前方へ回動し、光源部２に対して平行状態を維持しながら表示部１を前方へ離隔移動させることができる。この際、流体圧シリンダ６のピストンロッド６２，６３が進出し、表示部１を緩慢に移動させることができ、ピストンロッド６２，６３が進出した状態で表示部１の離隔距離を最大にでき、この離隔距離の位置に表示部１を停止させることができる。従って、表示部１及び光源部２間の空間でランプ２１の交換を伴うメンテナンスを行うことができる。
【００４０】
また、床面よりも上方に配されている表示部１を前方へ移動させつつ下方へ変位させることができるため、換言すると表示部１の下方に存在する空間を利用してメンテナンスを行うことができるため、薄型表示装置の周りの空間が狭い場合においても簡易にメンテナンスを行うことができる。
【００４１】
ランプ２１を交換し、メンテナンスが終わった場合、表示部１を後方へ移動操作すると、連結体５１，５２が後方へ回動し、光源部２に対して平行状態を維持しながら表示部１を後方へ移動させることができる。この際、流体圧シリンダ６のピストンロッド６２，６３が後退し、表示部１を緩慢に移動させることができ、ピストンロッド６２，６３が後退した状態で表示部１及び光源部２間の隙間が遮光部材１０により封止され、ランプ２１が発光する光の洩れを防ぐことができる。この後、レバー体７を操作し、フック部を係止部１６に係止するとともに、雄螺子８を螺子孔２５に螺着することにより表示部１の前方への移動を阻止することができる。
【００４２】
実施の形態２
図４は本発明に係る薄型表示装置の他の構成を示す模式的側面図、図５は薄型表示装置の表示部１が前方へ移動している状態を示す模式的側面図、図６は薄型表示装置の光源部２が前方へ移動している状態を示す模式的側面図である。
【００４３】
この薄型表示装置は、回路基板３を光源部２に設ける代わりに、回路基板３をカバー体２３の内側に取付け、光源部２のケース体２２をカバー体２３に対し前後への移動を可能とし、該ケース体２２及びカバー体２３を、ケース体２２の前後への移動を可能に上下二つの第２の連結体５３，５４により連結したものである。
【００４４】
光源部２はランプ２１及び該ランプ２１を収容支持するケース体２２を有し、該ケース体２２の両側部の上下へ離隔（周方向へ離隔）した二つの箇所に、横方向へ延出された第３及び第４の枢軸２４，２４ａが突設されており、第３及び第４の枢軸２４，２４ａと上方へ離隔した二つの箇所に、横方向へ延出された第５及び第６の枢軸２６，２６ａが突設されている。また、ケース体２２の両側部における枢軸２４，２６ａ間の中間部にはフック部を有するレバー体７が枢支されており、該レバー体７の近傍に、後記するレバー体７ａのフック部が係止される係止部２７、螺子孔２５、挿通孔を有するフランジ２８が夫々設けられている。
【００４５】
回路基板３は、表示部１及び光源部２の電気部品と導線により接続されている複数を有し、回路基板３夫々がカバー体２３の内側に取付けられている。
【００４６】
カバー体２３は枢軸２４，２４ａ、レバー体７及び螺子孔２５を設ける代わりに、両側部の上下へ離隔（周方向へ離隔）した二つの箇所に、横方向へ延出された第７及び第８の枢軸２９，２９ａが突設されている。また、カバー体２３の両側部における枢軸２９，２９ａ間の中間部にはフックを有するレバー体７ａが枢支されており、該レバー体７ａの近傍に螺子孔２５ａが開設されている。レバー体７ａは前後方向への回動を可能に枢支されており、一方向への回動でフック部を係止部２７に係止し、この係止状態で他方向へ回動されることによりレバー体７ａの回動がロックされるように構成されている。
【００４７】
第２の連結体５３，５４はケース体２２をカバー体２３に対して平行状態を維持しながら前後へ平行運動させるリンクであり、両端部に嵌合孔５３ａ，５３ｂ、５４ａ，５４ｂが開設され、一端部の嵌合孔５３ａ，５４ａが第５及び第６の枢軸２６，２６ａに枢支され、他端部の嵌合孔５３ｂ，５４ｂが第７及び第８の枢軸２９，２９ａに枢支され、前後方向への回動を可能に構成されている。第２の連結体５３，５４の嵌合孔５３ａ，５３ｂ間の距離と、嵌合孔５４ａ，５４ｂ間の距離とは等しい。また、嵌合孔５３ａ，５３ｂ間、及び嵌合孔５４ａ，５４ｂ間の距離は、光源部２が前方へ離隔移動した位置で回路基板３のメンテナンスを行うことができる距離になっている。
【００４８】
以上のように構成された薄型表示装置は、実施の形態１と同様、レバー体７，７ａのフック部が係止部１６，２７に係止され、ロック用の雄螺子８，８ａがフランジ１７，２８の挿通孔を経て螺子孔２５，２５ａに螺着され、表示部１及び光源部２の前方への移動が阻止されている。
【００４９】
ランプ２１の交換を伴うメンテナンスの場合、実施の形態１と同様、雄螺子８を弛緩し、レバー体７を操作して係止部１６との係止を解除することにより、表示部１を前方へ移動させ得る体制となる。表示部１を光源部２に対して前方へ移動操作すると連結体５１，５２が前方へ回動し、光源部２に対して平行状態を維持しながら表示部１を前方へ離隔移動させることができ、表示部１及び光源部２の間の空間でランプ２１の交換を伴うメンテナンスを行うことができる。この際、支持台を用いて離隔位置の表示部１を支持するか、又は、連結体５１，５２の前方への回動角度を制限する制限部をケース体２２に設けるか、又は、格納が可能な脚体を表示部１のキャビネット１４に設ける。
【００５０】
ランプ２１を交換し、メンテナンスが終わった場合、実施の形態１と同様、表示部１を後方へ移動操作すると、連結体５１，５２が後方へ回動し、光源部２に対して平行状態を維持しながら表示部１を後方へ移動させることができる。この後、レバー体７を操作し、フック部を係止部１６に係止するとともに、雄螺子８を螺子孔２５に螺着することにより表示部１の前方への移動を阻止することができる。
【００５１】
回路基板３のメンテナンスの場合、雄螺子８ａを弛緩し、レバー体７ａを操作して係止部２７との係止を解除することにより、光源部２を前方へ移動させ得る体制となる。光源部２を回路基板３（カバー体２３）に対して前方へ移動操作すると、第２の連結体５３，５４が前方へ回動し、回路基板３に対して平行状態を維持しながら光源部２及び表示部１を前方へ離隔移動させることができ、光源部２及び回路基板３の間の空間で回路基板３のメンテナンスを行うことができる。この際、支持台を用いて離隔位置の表示部１を支持するか、又は、第２の連結体５３，５４の前方への回動角度を制限する制限部をカバー体２３に設けるか、又は、格納が可能な脚体をケース体２２に設ける。
【００５２】
回路基板３のメンテナンスが終わった場合、光源部２を後方へ移動操作すると、第２の連結体５３，５４が後方へ回動し、回路基板３に対して平行状態を維持しながら光源部２及び表示部１を後方へ移動させることができる。この後、レバー体７ａを操作し、フック部を係止部２７に係止するとともに、雄螺子８ａを螺子孔２５ａに螺着することにより光源部２の前方への移動を阻止することができる。
その他の構成及び作用は実施の形態１と同様であるため、同様の部品については同じ符号を付し、その詳細な説明及び作用効果の説明を省略する。
【００５３】
実施の形態３
図７は本発明に係る薄型表示装置の他の構成を示す模式的側面図、図８は薄型表示装置の表示部１が前方へ移動している状態を示す模式的側面図である。
この薄型表示装置は、液晶表示パネル又はプラズマ表示パネルを有する表示部１ａと、該表示部１ａの後側に配される回路基板３ａとを、表示部１の前後への移動を可能に連結してある上下二つの第３の連結体５５，５６を備える構成としたものである。
【００５４】
液晶表示パネルを有する表示部１ａは、実施の形態１と同様、液晶表示パネルの後側に配されている光学シート１２及び該光学シート１２を支持する支持枠体１３と、光学シート１２の後側に配され、複数本のランプ２１を収容支持してあるケース体２２と、表示面に対応する個所が開放され、液晶表示パネル及びケース体２２の周縁部を取り囲むキャビネット１４とを有する。また、プラズマ表示パネルを有する表示部１ａは、表示面に対応する個所が開放され、プラズマ表示パネルの周縁部を取り囲むキャビネット１４を有する。
【００５５】
キャビネット１４は前面視矩形状をなし、両側部の上下へ離隔（周方向へ離隔）した二つの箇所に、横方向へ延出された第９及び第１０の枢軸１８，１８ａが突設されており、枢軸１８，１８ａ夫々に第３の連結体５５，５６の一端部が枢支されている。また、キャビネット１４は支持枠体１３の周縁部に複数本の雄螺子により取外しを可能に取付けられており、ケース体２２は支持枠体１３の周縁部に複数本の雄螺子により取外しを可能に取付けられている。
【００５６】
回路基板３ａは、表示部１ａの電気部品と導線により接続されている複数を有し、該回路基板３ａが、表示部１ａの後側を被覆するカバー体３２の内側に取付けられている。カバー体３２の両側部の上下へ離隔（周方向へ離隔）した二つの箇所に、横方向へ延出された第１１及び第１２の枢軸３３，３３ａが突設されており、カバー体３２の両側部における枢軸３３，３３ａ間の中間部にはフックを有するレバー体７ｂが枢支され、該レバー体７ｂの近傍に螺子孔３４が開設されており、フック部に対応する係止部１６ａ及び螺子孔３４に対応する挿通孔を有するフランジ１７ａがキャビネット１４の両側部に設けられている。レバー体７ｂは前後方向への回動を可能に枢支されており、一方向への回動でフック部を係止部１６ａに係止し、この係止状態で他方向へ回動されることによりレバー体７ｂの回動がロックされるように構成されている。
【００５７】
第３の連結体５５，５６は表示部１ａを回路基板３ａに対して平行状態を維持しながら前後へ平行運動させるリンクであり、両端部に嵌合孔５５ａ，５５ｂ、５６ａ，５６ｂが開設され、一端部の嵌合孔５５ａ，５６ａが第９及び第１０の枢軸１８，１８ａに枢支され、他端部の嵌合孔５５ｂ，５６ｂが第１１及び第１２の枢軸３３，３３ａに枢支され、前後方向への回動を可能に構成されている。第３の連結体５５，５６の嵌合孔５５ａ，５５ｂ間の距離と、嵌合孔５６ａ，５６ｂ間の距離とは等しい。また、嵌合孔５５ａ，５５ｂ間、及び嵌合孔５６ａ，５６ｂ間の距離は、表示部１ａが前方へ離隔移動した位置で回路基板３ａのメンテナンスを行うことができる距離になっている。
【００５８】
以上のように構成された薄型表示装置は、実施の形態１と同様、レバー体７ｂのフック部が係止部１６ａに係止され、ロック用の雄螺子８ｂがフランジ１７ａの挿通孔を経て螺子孔３４に螺着され、表示部１ａの前方への移動が阻止されている。
【００５９】
回路基板３ａのメンテナンスの場合、実施の形態１と同様、雄螺子８ｂを弛緩し、レバー体７ｂを操作して係止部１６ａとの係止を解除することにより、表示部１ａを前方へ移動させ得る体制となる。表示部１ａを回路基板３ａに対して前方へ移動操作すると第３の連結体５５，５６が前方へ回動し、回路基板３ａに対して平行状態を維持しながら表示部１ａを前方へ離隔移動させることができ、表示部１ａ及び回路基板３ａの間の空間で回路基板３ａのメンテナンスを行うことができる。この際、支持台を用いて離隔位置の表示部１ａを支持するか、又は、第３の連結体５５，５６の前方への回動角度を制限する制限部をカバー体３２に設けるか、又は、格納が可能な脚体を表示部１ａのキャビネット１４に設ける。
【００６０】
回路基板３ａのメンテナンスが終わった場合、実施の形態１と同様、表示部１ａを後方へ移動操作すると、第３の連結体５５，５６が後方へ回動し、回路基板３ａに対して平行状態を維持しながら表示部１ａを後方へ移動させることができる。この後、レバー体７ｂを操作し、フック部を係止部１６ａに係止するとともに、雄螺子８ｂを螺子孔３４に螺着することにより表示部１ａの前方への移動を阻止することができる。
その他の構成及び作用は実施の形態１と同様であるため、同様の部品については同じ符号を付し、その詳細な説明及び作用効果の説明を省略する。
【００６１】
実施の形態４
図９は本発明に係る薄型表示装置の他の構成を示す模式的側面図、図１０は模式的断面図、図１１は薄型表示装置本体が前方へ移動している状態を示す模式的側面図である。
【００６２】
この薄型表示装置は、液晶表示パネルを有する表示部１、該表示部１の後側に配される光源部２及び回路基板３を有する薄型表示装置本体Ａと、該薄型表示装置本体Ａの後側を被覆するカバー体７０とを、薄型表示装置本体Ａの前後への移動を可能に連結してある上下二つの第４の連結体５７，５８を備える構成としたものである。
【００６３】
薄型表示装置本体Ａはキャビネット１４を有し、該キャビネット１４に第１及び第２の枢軸１５，１５ａが突設されており、枢軸１５，１５ａ夫々に連結体５７，５８の一端部が枢支されている。
回路基板３はケース体２２の後壁に取付けられている。
【００６４】
カバー体７０は光源部２の周縁部から後側を被覆する深皿形状をなし、両側部の上下へ離隔（周方向へ離隔）した二つの箇所に、横方向へ延出された第１３及び第１４の枢軸７１，７１ａが突設されており、枢軸７１，７１ａ夫々に連結体５７，５８の他端部が枢支されている。
【００６５】
第４の連結体５７，５８は薄型表示装置本体Ａをカバー体７０に対して平行状態を維持しながら前後へ平行運動させるリンクであり、両端部に嵌合孔５７ａ，５７ｂ、５８ａ，５８ｂが開設され、一端部の嵌合孔５７ａ，５８ａが第１及び第２の枢軸１５，１５ａに枢支され、他端部の嵌合孔５７ｂ，５８ｂが第１３及び第１４の枢軸７１，７１ａに枢支され、前後方向への回動を可能に構成されている。第４の連結体５７，５８の嵌合孔５７ａ，５７ｂ間の距離と、嵌合孔５８ａ，５８ｂ間の距離とは等しい。また、嵌合孔５７ａ，５７ｂ間、及び嵌合孔５８ａ，５８ｂ間の距離は、薄型表示装置本体Ａが前方へ離隔移動した位置で回路基板３等のメンテナンスを行うことができる距離になっている。
【００６６】
以上のように構成された薄型表示装置は、実施の形態１と同様、レバー体７のフック部が係止部１６に係止され、ロック用の雄螺子８がフランジ１７の挿通孔を経て螺子孔２５に螺着され、薄型表示装置本体Ａの前方への移動が阻止されている。
【００６７】
回路基板３等のメンテナンスの場合、実施の形態１と同様、雄螺子８を弛緩し、レバー体７を操作して係止部１６との係止を解除することにより、薄型表示装置本体Ａを前方へ移動させ得る体制となる。薄型表示装置本体Ａをカバー体７０に対して前方へ移動操作すると第４の連結体５７，５８が前方へ回動し、カバー体７０に対して平行状態を維持しながら薄型表示装置本体Ａを前方へ離隔移動させることができ、薄型表示装置本体Ａ及びカバー体７０の間の空間で回路基板３のメンテナンスを行うことができる。
【００６８】
回路基板３等のメンテナンスが終わった場合、実施の形態１と同様、薄型表示装置本体Ａを後方へ移動操作すると、第４の連結体５７，５８が後方へ回動し、カバー体７０に対して平行状態を維持しながら薄型表示装置本体Ａを後方へ移動させることができる。この後、レバー体７を操作し、フック部を係止部１６に係止するとともに、雄螺子８を螺子孔２５に螺着することにより薄型表示装置本体Ａの前方への移動を阻止することができる。
その他の構成及び作用は実施の形態１と同様であるため、同様の部品については同じ符号を付し、その詳細な説明及び作用効果の説明を省略する。
【００６９】
図１２は薄型表示装置の他の構成を示すもので、(a) は模式的平面図、(b) は模式的正面図、図１３は薄型表示装置の表示部１が前方へ移動している状態を示すもので、(a) は模式的平面図、(b) は模式的正面図である。
【００７０】
以上説明した実施の形態では、前面視矩形状をなす表示部１，１ａ、光源部２、回路基板３，３ａの両側部で、上下へ離隔した箇所に連結体５１〜５８を前後方向へ回動を可能に配したが、その他、連結体５１〜５８夫々は、前面視矩形状をなす表示部１，１ａ、光源部２、回路基板３，３ａの上下部で、横方向（周方向）へ離隔した箇所に前後方向へ回動を可能に配してもよい。この場合、連結体５１〜５８夫々を枢支する前記枢軸夫々は上方、下方へ延出され、また、前記レバー体、前記係止部、前記フランジ及び前記螺子孔夫々が表示部１，１ａ、光源部２、回路基板３，３ａの上下部に設けられる。
【００７１】
このように連結体５１〜５８夫々を表示部１，１ａ、光源部２、回路基板３，３ａの上下部に配した構成にあっては、前方へ移動させる表示部１，１ａ、光源部２の荷重を連結体５１〜５８で受止めることができるため、前方へ移動される表示部１，１ａ等の移動に抵抗力を加える抵抗手段を設けることなく表示部１，１ａ等を緩慢に移動させることが可能であり、また、前方へ移動された表示部１，１ａ等を支持する支持台、脚体等も必要でなくなる。
【００７２】
また、前方へ移動させる表示部１，１ａ、光源部２の荷重を連結体５１〜５８で受止めることができるため、前記連結体５１〜５８夫々は、表示部１，１ａ、光源部２、回路基板３，３ａの上部にだけ設けることも可能である。
その他の構成及び作用は実施の形態１〜３と同様であるため、同様の部品については同じ符号を付し、その詳細な説明及び作用効果の説明を省略する。
【００７３】
尚、以上説明した実施の形態では、平行状態を維持しながら平行運動させるリンクが対をなす連結体５１〜５８を構成したが、その他、対をなす連結体５１〜５８は、両端部に開設されている嵌合孔間の距離が異なり、非平行運動させるリンクを用いてもよい。また、連結体５１〜５８夫々は二つのリンクが対をなす構成である他、三つ以上のリンクが対をなす構成であってもよい。
【００７４】
また、実施の形態１が備える抵抗手段としての流体圧シリンダ６は、実施の形態２のケース体２２及びカバー体２３の間、又は実施の形態３の表示部１ａ及び回路基板３ａの間に備える構成としてもよい。
【００７５】
また、本発明に係る薄型表示装置はスタンド４を備える床置きタイプである他、凹所を有する壁体の前記凹所に取付けられる埋込タイプ、または、凹所を有しない平面の壁体に取付けられる壁掛けタイプであってもよい。
【００７６】
また、本発明に係る薄型表示装置は液晶テレビジョン等の薄型液晶表示装置である他、薄型プラズマ表示装置、ＥＬディスプレイ等の薄型表示装置であってもよい。
【図面の簡単な説明】
【００７７】
【図１】本発明に係る薄型表示装置の構成を示す模式的側面図である。
【図２】本発明に係る薄型表示装置の構成を示す模式的断面図である。
【図３】本発明に係る薄型表示装置の表示部が前方へ移動している状態を示す模式的側面図である。
【図４】本発明に係る薄型表示装置の他の構成を示す模式的側面図である。
【図５】本発明に係る薄型表示装置の表示部が前方へ移動している状態を示す模式的側面図である。
【図６】本発明に係る薄型表示装置の光源部が前方へ移動している状態を示す模式的側面図である。
【図７】本発明に係る薄型表示装置の他の構成を示す模式的側面図である。
【図８】本発明に係る薄型表示装置の表示部が前方へ移動している状態を示す模式的側面図である。
【図９】本発明に係る薄型表示装置の他の構成を示す模式的側面図である。
【図１０】本発明に係る薄型表示装置の他の構成を示す模式的断面図である。
【図１１】薄型表示装置本体が前方へ移動している状態を示す模式的側面図である。
【図１２】本発明に係る薄型表示装置の他の構成を示すもので、(a) は模式的平面図、(b) は模式的正面図である。
【図１３】本発明に係る薄型表示装置の表示部が前方へ移動している状態を示すもので、(a) は模式的平面図、(b) は模式的正面図である。
【符号の説明】
【００７８】
１，１ａ  表示部
１１ａ  表示面
２    光源部
３，３ａ  回路基板
５１，５２  連結体
５３，５４  第２の連結体
５５，５６  第３の連結体
５７，５８  第４の連結体
７，７ａ，７ｂ  レバー体（操作部）
６    流体圧シリンダ（抵抗手段）
１０  遮光部材
７０  カバー体
【図１】
2009150939.tif 000003
【図２】
2009150939.tif 000004
【図３】
2009150939.tif 000005
【図４】
2009150939.tif 000006
【図５】
2009150939.tif 000007
【図６】
2009150939.tif 000008
【図７】
2009150939.tif 000009
【図８】
2009150939.tif 000010
【図９】
2009150939.tif 000011
【図１０】
2009150939.tif 000012
【図１１】
2009150939.tif 000013
【図１２】
2009150939.tif 000014
【図１３】
2009150939.tif 000015